(57)【要約】【目的】  様々な使用者の体格や使い方に対応可能で、充分な収納スペースが確保され、又、取外した机上棚を再利用が可能で、構造が簡単で安価であり、組立も容易な机を提供する。【構成】  左右脚体と、左右脚体の後端部間に配設された後板と、後板の前側で左右脚体間に配設された天板部と、脚体と後板に係脱可能に取付けられる書棚部より成し、天板部は高さ位置選択可能に左右の脚体間に連結し、天板を少なくとも所定高さ以下に連結したとき、天板部の上方に突出する後板の部分に書棚部を上下方向に重合して係脱可能で、天板部が少なくとも所定高さ以上で連結されたとき、天板部上方に突出する後板の部分と、天板部下方に突出する後板の部分に書棚部が係脱可能となるよう後板に後板側係止孔を所定間隔を有して上下方向に渡って複数個形成すると共に、左右脚体に前記後板側係止孔と略同形の脚体側係止孔を上下方向に渡って複数個形成する。【選択図】     図１
2007319308.tif 000002
【特許請求の範囲】
【請求項１】
左右脚体と、左右脚体の後端部間に配設された後板と、後板の前側で左右脚体間に配設された天板部と、脚体と後板に係脱可能に取付けられる書棚部よりなり、天板部は高さ位置選択可能に左右の脚体間に連結され、天板部が少なくとも所定高さに以下で連結されたとき、天板部の上方に突出する後板の部分に上下方向に重合して書棚部が係脱可能で、天板部が少なくとも所定高さ以上で連結されたとき、天板部上方に突出する後板の部分と、天板部下方に突出する後板の部分に書棚部が係脱可能なように、後板側係止孔が、所定間隔を有して上下方向に渡って複数個、後板に形成されると共に、前記後板側係止孔と略同形の脚体側係止孔が、上下方向に渡って複数個、左右脚体に形成されていることを特徴とする机。
【請求項２】
後板側係止孔と脚体側係止孔は横長の貫通する長孔よりなることを特徴とする請求項１に記載の机。
【請求項３】
後板側係止孔は左右方向に２列形成されていることを特徴とする請求項２に記載の机。
【請求項４】
書棚部は、後板側係止孔及び脚体側係止孔とほぼ同幅の本箱部と、２つで本箱部とほぼ同幅となる本立て部より構成されている事を特徴とする請求３に記載の机。
【請求項５】
左右脚体と、左右脚体の後端部間に配設された後板と、後板の前側で左右脚体間に配設された天板部と、脚体と後板に係脱可能に取付けられる書棚部よりなり、天板部は高さ位置選択可能に左右の脚体間に連結され、後板は、上端が左右脚体の上端とほぼ同一高さとなる位置と、略上半部が脚体より上方に突出する位置の間で高さ位置選択可能に左右の脚体間に連結され、天板部が少なくとも所定高さ以下で連結され、後板が少なくと所定高さ以上で連結されたとき、天板部の上方に突出する後板の部分に上下方向に重合して書棚部が係脱可能で、天板部が少なくとも所定高さ以上で連結され、後板が少なくとも所定高さ以下で連結されたとき、天板部下方に突出する後板の部分に上下方向に重合して書棚部が係脱可能なように後板側係止孔が、所定間隔を有して上下方向に渡って複数個、後板に形成されると共に、前記後板側係止孔と略同形の脚体側係止孔が、上下方向に渡って複数個、左右脚体に形成されていることを特徴とする机。
【請求項６】
後板側係止孔と脚体側係止孔は横長の貫通する長孔よりなることを特徴とする請求項５に記載の机。
【請求項７】
後板側係止孔は左右方向に２列形成されていることを特徴とする請求項６に記載の机。
【請求項８】
書棚部は、後板側係止孔及び脚体側係止孔とほぼ同幅の本箱部と、２つで本箱部とほぼ同幅となる本立て部より構成されている事を特徴とする請求７に記載の机。
【発明の詳細な説明】
【技術分野】
【０００１】
本発明は、使用者の体格、使用場所、使用目的等に応じて使用できる机に関するものである。
【背景技術】
【０００２】
使用者の体格に応じて天板の高さが選択できるものや、壁面で使用する場合は、机の天板後部上面に机上棚を載置して使用し、窓際に設置する場合は、採光のため、この机上棚を取外して使用できるものや、天板上にパソコンを載置して使用できるよう、机上棚の下方棚部を左右に移動可能としたもの（例えば、特許文献１参照。）、あるいは、取外された上側棚の再利用を図れるようにしたもの（例えば特許文献２参照）などが提供されている。
【０００３】
上記の場合、それぞれの机は、それぞれの機能を個別に有しているだけであった。
すなわち、児童の段階から高学年、大人までの間に成長する体格に応じて天板の高さを選択することで、最適な姿勢で作業する事が出来る机を得ることができるが、増加する書籍等の収納が適切に出来ない。あるいは、書籍等の収納は適切にできるが、天板上でパソコンを使用には書籍を収納している机上棚が邪魔になる。又、机上棚は邪魔にはならないが、窓際等に載置しても採光が出来ない。採光するために机上棚を取外すと、たちまちその置き場所に困る。という問題があった。
【０００４】
【特許文献１】実用新案登録第２５９３４８７号公報
【特許文献２】特開２００６−２５９３１号公報
【発明の開示】
【発明が解決しようとする課題】
【０００５】
本発明は、従来の問題点に鑑みて、使用者の体格に応じて天板の高さが選択でき、机上棚を載置して使用しても充分に採光でき、天板上にパソコンを載置して使用しても、充分な収納スペースを確保することが出来、又、机上棚を取外して再利用が可能で、構造が簡単で安価に製作でき、組立も容易な机を提供する事を課題とする。
【課題を解決するための手段】
【０００６】
そこで、上記課題を解決する為、本発明が第１の手段として構成したところは、左右脚体と、左右脚体の後端部間に配設された後板と、後板の前側で左右脚体間に配設された天板部と、脚体と後板に係脱可能に取付けられる書棚部よりなり、天板部は高さ位置選択可能に左右の脚体間に連結され、天板部が少なくとも所定高さに以下で連結されたとき、天板部の上方に突出する後板の部分に上下方向に重合して書棚部が係脱可能で、天板部が少なくとも所定高さ以上で連結されたとき、天板部上方に突出する後板の部分と、天板部下方に突出する後板の部分に書棚部が係脱可能なように、後板側係止孔が、所定間隔を有して上下方向に渡って複数個、後板に形成されると共に、前記後板側係止孔と略同形の脚体側係止孔が、上下方向に渡って複数個、左右脚体に形成されているものである。
【０００７】
次に本発明が第２の手段として構成したところは、前記第１の手段として構成したところに加え、後板側係止孔と脚体側係止孔は横長の貫通する長孔よりなるものである。
【０００８】
次に本発明が第３の手段として構成したところは、前記第２の手段として構成したところに加え、後板側係止孔は左右方向に２列形成されているものである。
【０００９】
次に本発明が第４の手段として構成したところは、前記第３の手段として構成したところに加え、書棚部は、後板側係止孔及び脚体側係止孔とほぼ同幅の本箱部と、２つで本箱部とほぼ同幅となる本立て部より構成されているものである。
【００１０】
次に本発明が第５の手段として構成したところは、左右脚体と、左右脚体の後端部間に配設された後板と、後板の前側で左右脚体間に配設された天板部と、脚体と後板に係脱可能に取付けられる書棚部よりなり、天板部は高さ位置選択可能に左右の脚体間に連結され、後板は、上端が左右脚体の上端とほぼ同一高さとなる位置と、略上半部が脚体より上方に突出する位置の間で高さ位置選択可能に左右の脚体間に連結され、天板部が少なくとも所定高さ以下で連結され、後板が少なくと所定高さ以上で連結されたとき、天板部の上方に突出する後板の部分に上下方向に重合して書棚部が係脱可能で、天板部が少なくとも所定高さ以上で連結され、後板が少なくとも所定高さ以下で連結されたとき、天板部下方に突出する後板の部分に上下方向に重合して書棚部が係脱可能なように後板側係止孔が、所定間隔を有して上下方向に渡って複数個、後板に形成されると共に、前記後板側係止孔と略同形の脚体側係止孔が、上下方向に渡って複数個、左右脚体に形成されているものである。
【００１１】
次に本発明が第６の手段として構成したところは、前記第５の手段として構成したところに加え、後板側係止孔と脚体側係止孔は横長の貫通する長孔よりなるものである。
【００１２】
次に本発明が第７の手段として構成したところは、前記第６の手段として構成したところに加え、後板側係止孔は左右方向に２列形成されているものである。
【００１３】
次に本発明が第８の手段として構成したところは、前記第７の手段として構成したところに加え、書棚部は、後板側係止孔及び脚体側係止孔とほぼ同幅の本箱部と、２つで本箱部とほぼ同幅となる本立て部より構成されているものである。
【発明の効果】
【００１４】
請求項１に記載の発明によると、後板側係止孔が上下方向に複数個形成された後板と、後板側係止孔と同様な形状の脚体側係止孔が形成された左右脚体と、天板部と、脚体側係止孔、及び後板側係止孔に係脱可能な書棚部よりなる簡単な構成であるから、安価に製作できる。
天板部は高さ位置選択可能に左右の脚体間に連結されているので、使用者の体格に応じて天板部の高さを最適な位置となるよう選択することができる。
天板部の位置が低い時は、書棚部が天板上方に上下方向に重ね合わせて取付けることができ、天板部の位置が所定高さ以上になると、天板部の上下方向に分けて書棚部を取付けることが出来るので、天板部の高さに関係なく収納部を確保でき、書籍等の整理整頓に支障をきたす事がない。
又、脚体側方にも書棚部を係脱可能としているので、天板上方を広く使用する場合（天板上にパソコンを載置する場合）、書棚部を天板上方で使用しなくなった場合などは、書棚部を脚体の側方に取付けることができるので、書棚を破棄する必要がなく有効に活用することができる。
【００１５】
請求項２に記載の発明によると、上記効果に加え、後板側係止孔を横長の貫通する長孔としたので、窓際で使用した場合は、長孔を透して採光が可能である。
請求項３に記載の発明によると、上記効果に加え、後板側係止孔は左右方向に２列形成されているので、採光の効果がより向上するだけでなく、書棚部を並列して後板に取付けることもできるので、より効果的に書籍等の整理整頓ができる。
請求項４に記載の発明によると、上記効果に加え、書棚部は本箱部と本立て部より構成されているので、書棚部の取付け位置が種々選択でき、使用場所、使用状況に応じた対応が出来る。
【００１６】
請求項５に記載の発明によると、後板側係止孔が上下方向に複数個形成された後板と、後板側係止孔と同様な形状の脚体側係止孔が形成された左右脚体と、天板部と、脚体側係止孔、及び後板側係止孔に係脱可能な書棚部よりなる簡単な構成であるから安価に製作できる。
天板部は、高さ位置選択可能に左右の脚体間に連結されているので、使用者の体格に応じて天板部の高さを最適な位置となるよう選択することができる。
又、後板は、左右脚体の上端と同一高さとなる位置と、略上半部が脚体上方に突出する位置の間で高さ位置選択可能に左右脚体間に連結されているので、天板高さ位置と、後板の高さ位置を選択する事で、書棚部の取付け位置を種々選択することが可能となり、より、使用場所、使用状況に応じた対応が可能である。
又、脚体側方にも書棚部を係脱可能としているので、天板上方を広く使用する場合（天板上にパソコンを載置する場合）、書棚部を天板上方で使用しなくなった場合などは、書棚部を脚体の側方に取付けることができるので、書棚を破棄する必要がなく有効に活用することができる。
【００１７】
請求項６に記載の発明によると、上記効果に加え、後板側係止孔を横長の貫通する長孔としたので、窓際で使用した場合は、長孔を透して採光が可能である。
請求項７に記載の発明によると、上記効果に加え、後板側係止孔は左右方向に２列形成されているので、採光の効果がより向上するだけでなく、書棚部を並列して後板に取付けることもできるので、より効果的に書籍等の整理整頓ができる。
請求項８に記載の発明によると、上記効果に加え、書棚部は本箱部と本立て部より構成されているので、書棚部の取付け位置が種々選択でき、さらに、使用場所、使用状況に応じた対応が出来る。
【発明を実施するための最良の形態】
【００１８】
本発明は、左右脚体と、左右脚体の後端部間に配設された後板と、後板の前側で左右脚体間に配設された天板部と、脚体と後板に係脱可能に取付けられる書棚部よりなり、天板部は高さ位置選択可能に左右の脚体間に連結され、後板は、上端が左右脚体の上端とほぼ同一高さとなる位置と、略上半部が脚体より上方に突出する位置の間で高さ位置選択可能に左右の脚体間に連結され、天板部が少なくとも所定高さ以下で連結され、後板が少なくと所定高さ以上で連結されたとき、天板部の上方に突出する後板の部分に上下方向に重合して書棚部が係脱可能で、天板部が少なくとも所定高さ以上で連結され、後板が少なくとも所定高さ以下で連結されたとき、天板部下方に突出する後板の部分に上下方向に重合して書棚部が係脱可能なように後板側係止孔が、所定間隔を有して上下方向に渡って複数個、後板に形成されると共に、前記後板側係止孔と略同形の脚体側係止孔が、上下方向に渡って複数個、左右脚体に形成され、後板側係止孔と脚体側係止孔は横長の貫通する長孔よりなり、後板側係止孔は左右方向に２列形成されているものである。
【実施例】
【００１９】
以下、図１〜図９は第２実施例の机を示し、特に断りのない限り、第１実施例及び第２実施例に共通するものである。
図１において、符号１は本発明の机を示している。
机１は、所定間隔を有して立設された左右脚体２、２と、左右脚体２、２の後端部間に配設された後板３と、後板３の前側で左右脚体２、２間に配設された天板部５と、左右脚体２、２と後板３に係脱可能に取付けられる書棚部６より構成されている。
【００２０】
左右脚体２、２は対向した同形に形成されているので一方側についてのみ説明する。
脚体２は、高さ寸法が８１センチメートル、奥行き寸法が６１．８センチメートルの木製の縦長長方形板体で、前後端部の上下方向に所定間隔を有して複数個の天板連結孔２１・・・が形成され、後端部の天板連結孔２１・・・の後側に、上下方向に所定間隔を有して複数個の後板上部連結孔２２・・・と、後板上部連結孔２２・・・の下方に同様の後板下部連結孔２３・・・が形成され、前後の天板連結孔２１、２１間に、横長の貫通する長孔からなる脚体側係止孔２４・・・が上下方向に所定間隔を有して形成されている。
尚、第１実施例の後板上部連結孔２２と後板下部連結孔２３は、上下に所定間隔を有して形成されているだけで後板３の取付け高さは一定である。
【００２１】
最上端の天板連結孔２１・・・を介して天板部５が左右脚体２、２間に連結された状態で、天板５１の高さは７６センチメートルとなり、最下端の天板連結孔２１・・・を介して天板部５が左右脚体２、２間に連結された状態で天板５１の高さは５２センチメートルとなるよう、天板連結孔２１・・・の中心間の上下方向の間隔は６センチメートル毎に設定されている。したがって、天板部５の天板５１の高さは、小学校の入児童の平均身長に最適な高さである５２センチメートルから、成人男子の平均身長よりやや大きい人に最適な高さである７６センチメートルまで、６センチメートルごとに５段階に渡って高さ位置が選択可能となるので、幅広い年代、体格の人が最適な高さ状態で使用できる。
【００２２】
又、第１実施例では、後板上部連結孔２２と後板下部連結孔２３を介して後板３が左右脚体２、２間に取付けられた状態で、後板３の上端縁の高さは１１１センチメートルとなり、下端縁の高さは３１センチメートルとなり、天板部５が７６センチメートルの高さに連結されている状態で、後板３は脚体２、２間の補強材として使用されると共に、後板３の上半部を目隠し板として使用することもできる。    
一方、第２実施例では、最上端から２番目の後板上部連結孔２２と、最上端から２番目の後板下部連結孔２３を介して後板３が左右脚体２、２間に取付けられた状態で、後板３の上端縁の高さは１１１センチメートル、下端縁の高さは３１センチメートルとなり、最下端の後板上部連結孔２２と、最下端の後板下部連結孔２３を介して後板３が左右脚体２、２間に取付けられた状態で、後板３の上端縁の高さは８１センチメートル（左右脚体２、２の上端縁と同一高さ）、下端縁の高さは１センチメートルとなるよう、後板上部連結孔２２・・・の中心間の上下方向の間隔と、後板下部連結孔２３・・・の中心間の上下方向の間隔は、それぞれ６センチメートル毎に設定されている。（最下端の後板上部連結孔２２と最上端の後板下部連結孔２３は共用される。）
すなわち、天板部５と後板３の取付け高さをそれぞれ選択することにより、後板３は脚体２、２間の補強材として使用されるだけでなく、後板３の上半部を目隠し板として使用するなど種々の使い方ができる。
【００２３】
そして、脚体側係止孔２４・・・は、書棚部６が左右脚体２、２の内面側及び外面側の両方に係脱可能なように上下寸法が２．５センチメートルで、長さ寸法が４０センチメートルの横長の長孔で貫通孔となし、中心部の上下方向の間隔を６センチメートル毎とし、天板部５が、最上端の天板連結孔２１・・・を介して左右脚体２、２間に連結された状態でも、最上端の脚体側係止孔２４に書棚部６が取付け可能な高さ位置から下方に５段階に渡って形成されている。
【００２４】
後板３は、高さ寸法が８０センチメートル、幅寸法が９５．２センチメートルの木製の略横長長方形板体で、脚体側係止孔２４と同形の後板側係止孔３１・・・が幅方向に２列で上下方向に中心部の間隔が６センチメートル毎に複数個（実施例では、１列９個）幅方向に等間隔を有して形成されている。したがって、後板３の上半部を目隠しとして使用する場合であっても後板側係止孔３１・・・によって、ある程度の採光が確保できる。
又、後板３が最も高い状態に左右脚体２、２間に連結される時、左右脚体２、２の最上端の後板上部連結孔２２、２２と後板下部連結孔２３、２３に対応して（第１実施例では、後板３が左右脚体２、２間に連結される時、左右脚体２、２の後板上部連結孔２２、２２と後板下部連結孔２３、２３に対応して）後板３の左右端面（連結状態で左右脚体２、２の内面側と当接する面）に連結ネジ２０・・・が螺合する後板上下連結螺孔（図示せず。）が形成されている。
【００２５】
天板部５は、天板５１と、天板５１の左右端部下面に配設された左右連結枠５２、５２と、左右連結枠５２、５２間で天板下面に配設された中央連結枠５３と、中央連結枠５３の後端面と左右連結枠５２、５２の後端部内面を連結する後補強材５４と、左右連結枠５２、５２、中央連結枠５３の前端部下面を連結する底補強材５５とよりなる天板下面枠５６と、天板下面枠５６内に引出し自在に配設された、正面板５７、５７及び引出し枠５８、５８よりなる左右２つの引出し５９、５９より構成され、左右連結枠５２、５２には、前記前後の天板連結孔２１、２１に対応して連結ネジ５０・・・が螺合する天板連結螺孔（図示せず。）が形成されている。
【００２６】
書棚部６は、後板側係止孔３１、及び脚体側係止孔２４とほぼ同幅（４０．６センチメートル）で、高さが４つの後板側係止孔３１・・・間に渡る（２３．５センチメートル）大きさの本箱部６１と、本箱部６１と同高さで、本箱部６１の半分の幅寸法を有し、本箱部６１より深めの奥行きとなした２つの本立て部６２、６２より構成されている。
【００２７】
本箱部６１は、縦長長方形状の本箱側板６１１、６１１と本箱側板６１１、６１１の後端部間に配設された本箱背板６１２と、本箱背板６１２の上端前面と本箱側板６１１、６１１の上端部間に配設された本箱天板６１３と、本箱天板６１３の所定寸法下方で、本箱背板６１２の下端前面と本箱側板６１１、６１１の下端間に配設された本箱底板６１４とと、幅方向中央部に仕切板６１５が配設され、前面が開口する箱状に形成されている。
そして本箱背板６１２の左右端部上端側の背面に２つの係止金具７、７が設けられている。
【００２８】
本立て部６２は、略正方形状の本立て側板６２１、６２１と本立て側板６２１、６２１の後端部間に配設された本立て背板６２２と、本立て背板６２２の下端前面と本立て側板６２１、６２１の下端間に配設された本立て底板６２４より、上面と前面が開口する形状に形成されている。
そして本立て背板６２２の左右端部上端側の背面に２つの係止金具７、７が設けられている。
【００２９】
係止金具７は、図５に示すように脚体側係止孔２４あるいは後板側係止孔３１の下縁３１１に上方から係止する横向きＬ字形の係止突片７１が連結基板７０の上端に連設された構成で、それぞれの脚体側係止孔２４・・・あるいは後板側係止孔・・・に係脱可能であると共に、本立て背板６２２、本箱背板６１２の左右端部に上端の背面に離間して設けられているので、左右の後板側係止孔３１、３１に跨った状態で書棚部６を係止することができる。
尚、実施例では、書棚部６は、本箱部６１と、２つの本立て部６２、６２より構成しているが、すべてが本箱部６１であっても良く、あるいは１つの本立て部６２であってもよく書籍、文具等が整理整頓できる機能を有するものであれば良い。
【００３０】
本発明は上記のように構成されているので、第１実施例では、後板３は一定の高さで左右脚体２、２間に後板上下連結孔２２、２２、２３、２３を貫通する連結ネジ２０・・・にて左右脚体２、２間に連結され、天板５１の高さが７６センチメートルの位置で、天板連結孔２１・・・を貫通する連結ネジ５０・・・にて左右脚体２、２に天板部５が連結された状態で、天板部５の上下方向に分けて書棚部６を取付けることが出来る（図２の仮想線に示す状態）だけでなく、脚体２、２の内外側面にも書棚部６を係脱可能に取付けることができる（図示せず）。
又、天板５１の高さが５２センチメートルの位置で左右脚体２、２に天板部５が連結された状態で、書棚部６を上下方向に重合して係脱可能とすることができる（図９に示す状態）。
第２実施例では、後板３の取付け高さ位置も選択できるので、書棚部６は上記の取付け方だけでなく、天板５１の高さが７６センチメートルの位置であっても、後板をもっとも低い位置に取付け、採光、及び開放感を重視した仕様（図７に示す状態）としたり、あるいは、後板の取付け高さ位置を上げ、書棚部を作業姿勢で手の届く位置に配置して、作業効率を重視した仕様（図６に示す状態）としたり、あるいは、天板と後板を低い位置に取付けて、作業中は目隠しになって集中力が妨げられることはないが、立ち上がれば確実に視界が開け、開放感を得る事が出来る仕様（図８に示す状態）としたりでき、さらに、それに応じて書棚部６の取付け位置が選択できる。
【図面の簡単な説明】
【００３１】
【図１】本発明の第２実施例の斜視図
【図２】図１に対応する正面図
【図３】図２のＡ−Ａ線断面図
【図４】天板部の裏面図
【図５】書棚部と後板側係止孔の係止状態を示す拡大断面図
【図６】天板部と後板が最も高い状態の正面図
【図７】天板部が最も高く、後板が最も低い状態の正面図
【図８】天板部と後板が最も低い状態の正面図
【図９】第１実施例で天板部が最も低い状態の正面図
【符号の説明】
【００３２】
１        机
２、２    左右脚体
２４      脚体側係止孔
３        後板
３１      後板側係止孔
５        天板部
５１      天板
６        書棚部
６１      本箱部
６２      本立て部
【図１】
2007319308.tif 000003
【図２】
2007319308.tif 000004
【図３】
2007319308.tif 000005
【図４】
2007319308.tif 000006
【図５】
2007319308.tif 000007
【図６】
2007319308.tif 000008
【図７】
2007319308.tif 000009
【図８】
2007319308.tif 000010
【図９】
2007319308.tif 000011